(57)【要約】【課題】機体の前部にエンジン部を備え、後部に作業機等を備えて作業を行う歩行型移動農機において、機体の運搬車への積み降ろしや圃場の畦越等の小移動を行うような際に、いちいち運搬車に昇降用のブリッジを掛け渡して移動したり、エンジンを駆動して移動するようなことはせずに、小型の移動農機の小移動をする場合に適した構成に関するものである。【解決手段】エンジン部の上部を覆うボンネットの前方下部直下に、機体破損防止用の保護装置を備えたものである。【選択図】        図２
2005022434.tif 000002
【特許請求の範囲】
【請求項１】
機体（１）  の前部にエンジンを備え、後部に作業機（４）  等を備えて作業を行う歩行型移動農機において、上記エンジンの上方を覆うボンネット（１０）の前方下部直下に、機体（１）  の破損を防止するための破損防止用の保護装置（１８）を備えたことを特徴とする歩行型移動農機のボンネット保護装置。
【発明の詳細な説明】
【０００１】
【発明の属する技術分野】
本発明は歩行型移動農機の特に、ボンネットを保護するものに関するものである。
【０００２】
【従来の技術】
従来、機体の前部にエンジン部を備え、後部に作業機等を備えて作業を行うこの種の小型の歩行型移動農機においては、機体の運搬車への積み降ろしや圃場の畦越等の小移動を行うような際に、いちいち運搬車に昇降用のブリッジを掛け渡して移動したり、エンジンを駆動して移動するような面倒なことはせずに、作業者が２人で機体の前後の位置を持ち上げて機体の移動を行うようにしていた。
ところが、上記エンジン部の上部を覆うボンネットの前方下部直下には、これらボンネットの前方を保護するための装置を備えたものはない（例えば、特許文献１，２参照）。
【０００３】
【特許文献１】
特開平８−１１５５８号公報（図１，５）
【特許文献２】
特開平８−３２２３１４号公報（図１，３）
【０００４】
【発明が解決しようとする課題】
従って、従来技術の構造のものでは、作業者が２人で機体の前後の位置を持ち上げて運ぶような際に、後方側はハンドルが長く後方に延びていて持ち易いが、前方側は持ち難く、持つ人が誤って壊れ易いボンネット部分に手をかけてしまい易く、ボンネットの取付基部付近が破損してしまう事故が発生していた。
また、機体の前方下部にバランスウェイトを備えたものもあるが、バランスウェイト部分に手を掛けて持つ場合には、腰を深く屈めて持ち上げる必要があり、持ち上げ難いと共に、持ち上げ姿勢の面で腰痛になり易いなど辛かった。
本発明の目的は、上記従来の不具合を改善する点にある。
【０００５】
【課題を解決するための手段】
上記目的を達成するため、本発明においては、機体の前部にエンジンを備え、後部に作業機等を備えて作業を行う歩行型移動農機において、上記エンジンの上方を覆うボンネットの前方下部直下に、機体の破損を防止するための破損防止用の保護装置を備えたことを特徴とする。
【０００６】
【発明の実施の形態】
本発明の実施の形態の一例を以下の図面に基づいて説明する。
図１は本願発明装置を備えた歩行型移動農機の全体概略側面図であり、１は歩行型移動農機の機体であって、通常の歩行型移動農機と同様に前方のエンジン２を設け、該エンジン２の動力で走行車輪３を駆動すると共に、後方にセットした作業機４で農作業等を行うように構成されている。
ここで、５は変速操作レバー，６は運転用のハンドルであって、該ハンドル６には主クラッチレバー７，エンジンコントロールレバー８，作業時の直進性を維持するためのデフロックレバー９等各種の運転操作装置が備えられている。
なお、エンジン２の上方にはボンネット１０やマフラー１１があり、エンジン２の前方下部には、農作業や機体の１移動時にエンジン２の前部や下部を保護すると共に、後方に装着した作業機４との前後バランスを取るための、頑丈なバランスウェイト１２を備えており、図面中央の１３はエンジン２の動力伝動部分を覆った伝動ケースである。
【０００７】
また、図２は一部を切欠した要部の拡大側断面図、図３，図４はエンジン部の要部を示し、夫々（ａ）は平面図、（ｂ）は側面図である。
即ち、上記エンジン２の上方には、ボンネット取付ステー１４が、複数箇所でボルト１５・・・によりエンジン２の上方に装着されており、ボンネット１０は、別の取付ステー１６，ボルト１７・・・を介して、上記ボンネット取付ステー１４に一体状に装着されて、エンジンの上部側を覆っている。
そして、上記ボンネット取付ステー１４は、馬力の異なるエンジン２′を機体１に搭載した場合でも、そのまま使用できるように両者間の取付部分は図３（ｂ）及び図４（ｂ）の側面図の如く共通化されているものである。
【０００８】
一方、上記ボンネット１０の前方下部直下には、図３（ａ），４（ａ）で明確なように、平面視Ｕ字状を呈する機体破損防止用の保護装置１８が左右側の端部位置で確りと上記ボンネット取付ステー１４に溶着されている。
なお、上記ボンネット１０で覆われた内部には燃料タンク１９が設けられており、２０は燃料供給口を覆う燃料キャップ２０であり、２１は上記燃料タンク１９からエンジン２に燃料を供給するためのホースである。
【０００９】
本発明の歩行型移動農機の保護装置は、以上のような構成よりなっており、これらの作用について以下に説明する。
先ず、作業者がエンジン２を駆動せずに、２人で機体１を運搬車等への積み降ろしや、畦越え等の小移動を行うような際には、２人で機体１の前後を夫々持ち上げて機体１を持ち運ぶが、後方側の作業者は長いハンドル６の一端を持ち、前方側の作業者はボンネット１０の直下に手を延ばして、Ｕ字状に形成された保護装置１８の一端に手を掛けて、これを握り機体１を上方に持ち上げる。
そして、運搬車等への機体１の積み降ろしや畦越え等の小移動を迅速・容易に行うものである。
【００１０】
この際、作業者は、機体１のエンジン２を駆動して移動したり、運搬車に昇降用のブリッジ等を掛け渡したりするような面倒な作業を一切することなく、手軽に運搬車への積み降ろしや、畦越等の小移動を行うことが出来るばかりか、前方の作業者はボンネット１０直下に手を延ばして迅速・容易に保護装置１８を握って持ち上げることにより、従来装置の如く、ボンネット１０の取付け基部付近が破損するような事故はなくなる。
しかも、エンジン２の下方に設けたバランスウェィト１２を持ち上げる場合のように、屈んだ姿勢になる必要もなくなるため、腰痛を発生するようなこともなくなるものである。
【００１１】
【発明の効果】
本発明は、前記の如く、機体の前部にエンジンを備え、後部に作業機等を備えて作業を行う歩行型移動農機において、上記エンジンの上方を覆うボンネットの前方下部直下に、機体の破損を防止するための破損防止用の保護装置を備えたので、機体を手軽に運搬車へ積み降ろしたり、畦越等の小移動を行うことが出来るばかりか、前方の作業者は迅速・容易に保護装置を握って持ち上げることが出来て、ボンネットの取付け基部付近が破損するような事故を防止することが出来る。
また、作業者は屈んだ姿勢になる必要もなくなるので、腰痛を発生するようなこともない。
【図面の簡単な説明】
【図１】歩行型移動農機の全体概略側面図である。
【図２】同上一部を切欠した要部の拡大側断面図である。
【図３】エンジン部の要部を示し、（ａ）は平面図、（ｂ）は側面図である。
【図４】他例のエンジン部の要部を示し、（ａ）は平面図、（ｂ）は側面図である。
【符号の説明】
１  機体
２  エンジン
４  作業機
１０  ボンネット
１２  バランスウェィト
１４  ボンネット取付ステー
１８  保護装置
【図１】
2005022434.tif 000003
【図２】
2005022434.tif 000004
【図３】
2005022434.tif 000005
【図４】
2005022434.tif 000006